(57)【特許請求の範囲】
【請求項１】
投入状態と開放状態とに変更できる遮断器と、該遮断器と直列に配列され、接地状態と入状態とに変更できる接地開閉器と、前記遮断器が投入状態か開放状態を検出する遮断器状態検出部と、前記接地開閉器が接地状態か入状態かを検出する接地開閉器状態検出部と、前記遮断器における前記接地開閉器と反対側に電源が供給されているか否かを判定する電源供給検知手段を有し、
操作ハンドルを用いて、遮断器側操作部を操作することにより遮断器を、投入状態と開放状態とに変更でき、
前記操作ハンドルを用いて、接地側操作部を操作することにより接地開閉器を、接地状態と入状態とに変更でき、
前記電源供給検知手段により遮断器における前記接地開閉器と反対側に電源が供給されていると判定し、かつ、前記遮断器状態検出部により遮断器が開放状態であると検出し、かつ、前記接地開閉器状態検出部により接地開閉器が接地状態であると検出した状態において、第１抑制部により、前記操作ハンドルを用いて前記遮断器側操作部を、前記遮断器が投入状態となる方向に回動することを抑制するようにし、
前記電源供給検知手段により前記遮断器における前記接地開閉器と反対側に電源が供給されていると判定し、かつ、前記接地開閉器状態検出部により前記接地開閉器が入状態であると検出した状態において、第２抑制部により、前記操作ハンドルを用いて前記接地側操作部を、前記接地開閉器が接地状態となる方向に回動することを抑制するようにしたことを特徴とする配電盤。
【請求項２】
前記操作ハンドルに係合部を設け、
前記第１抑制部に、前記係合部と係合する第１被係合部を設け、前記第２抑制部に、前記係合部と係合する第２被係合部を設け、
前記係合部と第１被係合部とが係合することにより、前記操作ハンドルを用いて前記遮断器側操作部を、前記遮断器が投入状態となる方向に回動することを抑制するようにし、
前記係合部と第２被係合部とが係合することにより、前記操作ハンドルを用いて前記接地側操作部を、前記接地開閉器が接地状態となる方向に回動することを抑制するようにしたことを特徴とする請求項１記載の配電盤。
【請求項３】
前記第１抑制部は、前記第１被係合部を先端に設けるとともに、その反対側に設けた回転軸を中心として回動できるようにし、
前記第２抑制部は、前記第２被係合部を先端に設けるとともに、その反対側に設けた回転軸を中心として回動できるようにし、
前記第１抑制部と前記第２抑制部は、夫々の回動において相互に干渉しないように配置したことを特徴とする請求項２記載の配電盤。
【請求項４】
前記電源供給検知手段により電源が供給されていないと検知した場合には、
第１抑制部又は第２抑制部が、操作ハンドルによる、遮断器側操作部又は接地側操作部の操作を抑制することがないことを特徴とする請求項１乃至３の何れか１項に記載の配電盤。
【請求項５】
少なくとも前記遮断器の状態、前記接地開閉器の状態、前記遮断器における前記接地開閉器と反対側に電源が供給されているか否かの状態を表示する表示部を設けたことを特徴とする請求項１乃至４の何れか１項に記載の配電盤。
【発明の詳細な説明】
【技術分野】
【０００１】
本発明は配電盤に関する。
【背景技術】
【０００２】
配電盤の点検時においては、手動操作により点検操作が行われることがある。この手動操作において、禁止操作を行うと事故につながる恐れがあることから、誤操作防止の観点から、従来、インターロック条件が揃っていなければ、操作ハンドルの挿入を阻止するためのシャッターが開かず、操作ハンドルを用いた手動操作が行えないようにしたものが知られている（特許文献１参照）。
【先行技術文献】
【特許文献】
【０００３】
【特許文献１】特開２００５−１９７１６８号公報
【発明の概要】
【発明が解決しようとする課題】
【０００４】
上記従来技術においては、点検時において手動操作が終了した後に誤って操作ハンドルを取外さなかった場合には、その後に手動操作を行おうとした際に、インターロック条件がそろっていない場合においてもシャッターを閉じることができず、禁止操作を行うことができてしまうという問題点がある。
【０００５】
そこで、本発明は、操作ハンドルの抜き忘れがあった際にも、禁止操作が行えないようにした配電盤を提供することを目的とするものである。
【課題を解決するための手段】
【０００６】
前記の課題を解決するために、請求項１記載の発明は、投入状態と開放状態とに変更できる遮断器と、該遮断器と直列に配列され、接地状態と入状態とに変更できる接地開閉器と、前記遮断器が投入状態か開放状態を検出する遮断器状態検出部と、前記接地開閉器が接地状態か入状態かを検出する接地開閉器状態検出部と、前記遮断器における前記接地開閉器と反対側に電源が供給されているか否かを判定する電源供給検知手段を有し、
操作ハンドルを用いて、遮断器側操作部を操作することにより遮断器を、投入状態と開放状態とに変更でき、
前記操作ハンドルを用いて、接地側操作部を操作することにより接地開閉器を、接地状態と入状態とに変更でき、
前記電源供給検知手段により遮断器における前記接地開閉器と反対側に電源が供給されていると判定し、かつ、前記遮断器状態検出部により遮断器が開放状態であると検出し、かつ、前記接地開閉器状態検出部により接地開閉器が接地状態であると検出した状態において、第１抑制部により、前記操作ハンドルを用いて前記遮断器側操作部を、前記遮断器が投入状態となる方向に回動することを抑制するようにし、
前記電源供給検知手段により前記遮断器における前記接地開閉器と反対側に電源が供給されていると判定し、かつ、前記接地開閉器状態検出部により前記接地開閉器が入状態であると検出した状態において、第２抑制部により、前記操作ハンドルを用いて前記接地側操作部を、前記接地開閉器が接地状態となる方向に回動することを抑制するようにしたことを特徴とするものである。 
【０００７】
請求項２記載の発明は、請求項１記載の発明において、前記操作ハンドルに係合部を設け、
前記第１抑制部に、前記係合部と係合する第１被係合部を設け、前記第２抑制部に、前記係合部と係合する第２被係合部を設け、
前記係合部と第１被係合部とが係合することにより、前記操作ハンドルを用いて前記遮断器側操作部を、前記遮断器が投入状態となる方向に回動することを抑制するようにし、
前記係合部と第２被係合部とが係合することにより、前記操作ハンドルを用いて前記接地側操作部を、前記接地開閉器が接地状態となる方向に回動することを抑制するようにしたことを特徴とするものである。
【０００８】
請求項３記載の発明は、請求項２記載の発明において、前記第１抑制部は、前記第１被係合部を先端に設けるとともに、その反対側に設けた回転軸を中心として回動できるようにし、
前記第２抑制部は、前記第２被係合部を先端に設けるとともに、その反対側に設けた回転軸を中心として回動できるようにし、
前記第１抑制部と前記第２抑制部は、夫々の回動において相互に干渉しないように配置したことを特徴とするものである。
【０００９】
請求項４記載の発明は、請求項１乃至３の何れか１項に記載の発明において、前記電源供給検知手段により電源が供給されていないと検知した場合には、
第１抑制部又は第２抑制部が、操作ハンドルによる、遮断器側操作部又は接地側操作部の操作を抑制することがないことを特徴とするものである。
【００１０】
請求項５記載の発明は、請求項１乃至４の何れか１項に記載の発明において、少なくとも前記遮断器の状態、前記接地開閉器の状態、前記遮断器における前記接地開閉器と反対側に電源が供給されているか否かの状態を表示する表示部を設けたことを特徴とするものである。
【発明の効果】
【００１１】
本発明は、電源供給検知手段により遮断器における前記接地開閉器と反対側に電源が供給されていると判定し、かつ、遮断器状態検出部により遮断器が開放状態であると検出し、かつ、接地開閉器状態検出部により接地開閉器が接地状態であると検出した状態において、第１抑制部により、操作ハンドルを用いて遮断器側操作部を、遮断器が投入状態となる方向に回動することを抑制するようにし、
電源供給検知手段により遮断器における前記接地開閉器と反対側に電源が供給されていると判定し、かつ、接地開閉器状態検出部により接地開閉器が入状態であると検出した状態において、第２抑制部により、操作ハンドルを用いて接地側操作部を、接地開閉器が接地状態となる方向に回動することを抑制するようにしたことにより、
操作ハンドルの抜き忘れがあった際にも、禁止操作を行うことを防止できる。
【図面の簡単な説明】
【００１２】
【図１】本発明の実施例に係る配電盤の正面図。
【図２】図１の配電盤において、遮断器の上流側に電源が供給されていない状態の配電盤の要部模式図の正面図。
【図３】図２の上部右方から見た斜視図。
【図４】図２の右側面図。
【図５】遮断器が開放状態で、接地開閉器が接地状態において、遮断器の上流側に電源が供給されている状態の正面図。
【図６】図５の上部右方から見た斜視図。
【図７】図５の状態から、遮断器側操作部に操作ハンドルを取付けた状態の正面図。
【図８】図７の上部左方から見た斜視図。
【図９】図７の右側面図。
【図１０】接地側操作部に操作ハンドルを取付け、図５の状態から接地開閉器を入状態に変更した状態の正面図。
【図１１】図１０の上部右方から見た斜視図。
【図１２】図１０の下部右方から見た斜視図。
【図１３】遮断器が開放状態で、接地開閉器が接地状態を示す回路図。
【図１４】遮断器が開放状態で、接地開閉器が入状態を示す回路図。
【図１５】遮断器が投入状態で、接地開閉器が接地状態を示す回路図。
【図１６】遮断器が投入状態で、接地開閉器が入状態を示す回路図。
【発明を実施するための形態】
【００１３】
本発明を実施するための形態を図に示す実施例に基づいて説明する。
【００１４】
図１は、本発明の配電盤１の正面図を示し、以下において配電盤１を正面から見た右側Ａを右側、左側Ｂを左側、上側Ｃを上側、下側Ｄを下側として説明する。
【００１５】
配電盤１は、図１３〜１６に示すように、直列に配置された遮断器２と接地開閉器３を有する。
【００１６】
遮断器２の上流側には図示しない電源供給手段より電源が供給されるようになっている。また、遮断器２は、遠隔等からの電動操作又は手動操作により、主回路の開閉操作を行うことができ、開動作することにより図１３，１４に示すように開放状態となり、また閉動作することにより図１５，１６に示すように投入状態となる。遮断器２が、開放状態か投入状態かを、図示しない遮断器状態検出部により検出することができるようになっている。
【００１７】
接地開閉器３は、遠隔等からの電動操作又は手動操作により、接地電極と主回路電極との接続を切り替えることができ、開操作を行うことにより図１３，１５に示すように接地電極側に接続されて接地状態となり、閉動作をすることにより図１４，１６に示すように主回路電極と接続されて入状態となるようになっている。接地開閉器３が、接地状態か入状態かを、図示しない接地開閉器状態検出部により検出することができるようになっている。
【００１８】
遮断器２の開閉操作を、操作ハンドル５を用いて手動にて行うには、図５，図７に示すように、遮断器側操作部６に操作ハンドル５を取り外し可能に取付け、操作ハンドル５を図２における時計回り方向に回動させると、遮断器２が投入となり、反時計回り方向に回動させると開放状態となるようになっている。
【００１９】
接地開閉器３の接続の切替えを、操作ハンドル５を用いて手動にて行うには、図１０に示すように、接地側操作部７に操作ハンドル５を取り外し可能に取付け、操作ハンドル５を図２における時計回り方向に回動させると、接地開閉器３が接地状態となり、反時計回り方向に回動させると入状態となるようになっている。
【００２０】
図１に示すように、配電盤１の本体部１ａの上部には、抑制装置１０が設けられている。抑制装置１０には、遮断器２に供給される電源とは異なる図示しない電源部を有し、遮断器２に電源が供給されていない状態においても、抑制装置１０は作動することができるようになっている。本実施例では電源部として蓄電池を用い、遮断器２に供給される電源を用いて蓄電するようになっている。本実施例では、抑制装置１０を電源挿入側１ｂと、配電側１ｃの１つのみに設けたが、抑制装置１０は、電源挿入側１ｂのみや、配電側１ｃのすべてに設けるなど、用途に応じて任意の位置に抑制装置１０を設けることができる。
【００２１】
抑制装置１０には、第１抑制部１１と、第２抑制部１２が設けられている。夫々の抑制部１１（１２）は、回転軸１１ａ（１２ａ）を回転軸として、回動手段１３（１４）により正逆回転できるようになっている。回動手段１３，１４には電源部より電源が供給されるとともに、抑制装置１０内に設けた図示しない制御部により、第１抑制部１１、第２抑制部１２の夫々の回動位置を制御することができるようになっている。本実施例では、回動手段１３，１４としてモータを用いた。
【００２２】
第１抑制部１１の先端部には、第１被係合部１１ｂが形成され、第２抑制部１２の先端部には、第２被係合部１２ｂが形成され、両被係合部１１ｂ，１２ｂは、操作ハンドル５に設けた係合部５ａと係合できるようになっている。
【００２３】
第１抑制部１１は、図２〜図６に示すように、略長方形状に形成された板状部材で構成され、その長手方向における一端側である先端部に、第１被係合部１１ｂが形成され、他端側には回転軸１１ａが設けられている。第１被係合部１１ｂは、図２，図３に示すように、左側のみが開口する溝１１ｃで構成されている。更に、第１被係合部１１ｂは、回転軸よりも右側に偏心して形成されている。
【００２４】
また、第１抑制部１１は、図７に示すように、第１被係合部１１ｂが最下端に位置する状態から反時計方向に回動し、図２に示すように、第１被係合部１１ｂが回転軸１１ａに対して右側に位置する最上端に位置した状態から時計方向に回動するようになっている。
【００２５】
第２抑制部１２は、図２〜図６に示すように、略長方形状に形成された板状部材で構成され、その長手方向における一端側である先端部に、第２被係合部１２ｂが形成され、他端側には回転軸１２ａが設けられている。第２被係合部１２ｂは、図２，図３に示すように、左側のみが開口する溝１２ｃで構成されている。更に、第２被係合部１２ｂは、回転軸よりも右側に偏心して形成されている。
【００２６】
また、第２抑制部１２は、図１０に示すように、第２被係合部１２ｂが最下端に位置する状態から反時計方向に回動し、図２に示すように、第２被係合部１２ｂが回転軸１２ａに対して右側に位置する最上端に位置した状態から時計方向に回動するようになっている。
【００２７】
第２抑制部１２は、図４に示すように、第１抑制部１１の後側に位置するように配置され、第１抑制部１１と第２抑制部１２が夫々回動する際に相互に干渉しないように配置されている。
【００２８】
操作ハンドル５を、遮断器側操作部６に取付けた状態では、遮断器２が、開放状態、投入状態の何れの状態においても、図７に示すように、係合部５ａは操作ハンドル５の上部に位置するようになっている。また、係合部５ａは、図７に示すように、操作ハンドル５の回転軸芯より右側に偏心して設けられているとともに、図９に示すように、板状部材を曲折して形成されている。
【００２９】
図７に示すように、第１被係合部１１ｂが最下端に位置するように第１抑制部１１が回動した状態で、操作ハンドル５を遮断器側操作部６に取付けると、操作ハンドル５の係合部５ａが、第１抑制部１１の第１被係合部１１ｂである溝１１ｃに嵌入して、相互に係合するようになっている。この状態においては、第１抑制部１１の回転軸１１ａの中心と、操作ハンドル５の中心は、一鉛直線上に位置し、係合部５ａは鉛直線より右側に位置するようになっている。このため、この係合状態から、操作ハンドル５を時計側方向（遮断器２を投入状態とする方向）に回動することはできないようになっている。すなわち、係合部５ａの下方への回転が第１被係合部１１ｂで阻止されるからである。なお、第１被係合部１１ｂにより、操作ハンドル５を、反時計側方向（遮断器２を開放状態とする方向）に回動することは阻止されない。
【００３０】
操作ハンドル５を、接地側操作部７に取付けた状態では、同様に、接地開閉器３が、接地状態、入状態の何れの状態においても、図１０に示すように、係合部５ａは操作ハンドル５の上部に位置するようになっている。
【００３１】
図１０に示すように、第２被係合部１２ｂが最下端に位置するように第２抑制部１２が回動した状態で、操作ハンドル５を接地側操作部７に取付けると、操作ハンドル５を遮断器側操作部６に取付けた際と同様に、操作ハンドル５の係合部５ａと第２抑制部１２の第２被係合部１２ｂとが係合するようになっている。この状態において、第２抑制部１２の回転軸１２ａの中心と、操作ハンドル５の中心は、一鉛直線上に位置し、係合部５ａは鉛直線より右側に位置するようになっている。このため、この係合状態から、操作ハンドル５を時計側方向（接地開閉器３を接地状態とする方向）に回動することはできないようになっている。なお、第２被係合部１２ｂにより、操作ハンドル５を、反時計側方向（接地開閉器３を入り状態とする方向）に回動することは阻止されない。
【００３２】
遮断器２の上流側に電源供給手段より電源が供給されているか否かを判断する図示しない電源供給検知手段が設けられている。本実施例においては、電源供給検知手段として、遮断器２の上流側の電圧を検出して、遮断器２の上流側に電源供給手段より電源が供給されているか否かを判断するようにした。この電源供給検知手段により電源が供給されていると判断すると、抑制装置１０の前面の表示部１４に設けた本体電源ランプ１５が点灯し、供給されていないと判断すると本体電源ランプ１５が点灯しないようになっている。この本体電源ランプ１５により、遮断器２の上流側に電源供給手段より電源が供給されているか否かを外部から判断することができるようになっている。
【００３３】
表示部１４には、抑制装置１０が起動しているか否かを示す抑制装置電源ランプ１６が設けられている。
【００３４】
抑制装置１０には、図１に示すように、円弧状の案内溝２０，２０が設けられている。夫々の案内溝２０内には、移動部材２１が設けられ、案内溝２０にそって移動できるようになっている。移動部材２１は、連結部材２２を介して、抑制部１１（１２）の回転軸１１ａ（１２ａ）に連結されている。
【００３５】
案内溝２０内の移動部材２１の位置を抑制部位置検出手段２３ａ（２３ｂ）により検出することにより、抑制部１１（１２）の回動状態を検出することができるようになっている。また、抑制部１１（１２）の被係合部１１ｂ（１２ｂ）が最下端に位置している状態で、操作ハンドル５の係合部５ａにより、抑制部１１（１２）の回転軸１１ａ（１２ａ）を上方へと回動させる力が作用すると、抑制部位置検出手段２３ａ（２３ｂ）によりその作用を検知して、警告音がなるとともに、表示部１４に設けた作動ランプ２５が点灯するようになっている。また、被係合部１１ｂ（１２ｂ）が所定の位置からずれた場合には、所定の位置となるまで回転軸１１ａ（１２ａ）を回動させるようになっている。
【００３６】
次に、抑制装置１０の動きについて説明する。
【００３７】
抑制装置１０が起動した状態で、かつ、遮断器２の上流側に電源供給手段より電源が供給されていない状態においては、抑制装置１０には電源部より電源が供給されている。遮断器状態検出部により、遮断器２の上流側に電源供給手段より電源が供給されていないことを検出し、制御部に信号を送り、制御部は、図１〜図４に示すように、抑制部１１（１２）の被係合部１１ｂ（１２ｂ）が最上位置となるように回動させている。遮断器２の上流側に電源供給手段より電源が供給されていない状態においては、操作ハンドル５を用いた手動操作により、遮断器２と接地開閉器３の状態を任意に変更することができる。
【００３８】
また、抑制装置１０が起動した状態で、かつ、遮断器２の上流側に電源供給手段より電源が供給されている状態においては、遮断器状態検出部により、遮断器２の上流側に電源供給手段より電源が供給されていることを検出し、本体電源ランプ１５を点灯させる。
【００３９】
図１３に示すように、遮断器２が開放状態で、接地開閉器３が接地状態の際には、遮断器状態検出部と接地開閉器状態検出部により、遮断器２と接地開閉器３の夫々の状態を検出し、制御部に信号を送り、制御部において、遮断器２が開放状態で、かつ、接地開閉器３が接地状態であると判定すると、図５，図６に示すように、第１抑制部１１のみを、被係合部１１ｂが最下位置となるように回動させる。第２抑制部１２は、その被係合部１２ｂが最上位置となっている。なお、作業者に注意を喚起するために、所定時間警告音がなるとともに、表示部１４に設けた作動ランプ２５が点灯した後に、第１抑制部１１を回動させるようになっている。
【００４０】
この状態において、操作ハンドル５を、遮断器側操作部６に取付けたとしても、図７に示すように、操作ハンドル５の係合部５ａと第１抑制部１１の第１被係合部１１ｂとが係合し、操作ハンドル５を時計側方向（遮断器２を投入状態とする方向）に回動することができない。すなわち、手動操作により遮断器２を、開放状態から投入状態に変更することができない。仮に、操作ハンドル５を時計側方向（遮断器２を投入状態とする方向）に回動できてしまうと、図１５に示すように、接地開閉器３は接地状態で、遮断器２が投入状態となり、短絡事故となってしまうため、この行為は禁止行為であり、第１抑制部材１１により手動操作でこの禁止操作が行われることを防止している。更に、操作ハンドル５を、時計側方向に回動させようとすると、その動作を抑制部位置検出手段２３ａが検知して、警告音がなるとともに、表示部１４に設けた作動ランプ２５が点灯するようになっている。
【００４１】
次に、接地側操作部７に操作ハンドル５を取付け、操作ハンドル５を、反時計側方向（接地開閉器３を入り状態とする方向）に回動させて、図１４に示すように、接地開閉器３は入状態とし、遮断器２を開放状態のままとする。遮断器状態検出部と接地開閉器状態検出部により、遮断器２と接地開閉器３の夫々の状態を検出し、制御部に信号を送り、制御部において、遮断器２が開放状態で、かつ、接地開閉器３が入状態であると判定すると、図１０〜図１２に示すように、第１抑制部１１を、第１被係合部１１ｂが最上位置となるように反時計方向に回動させるとともに、第２抑制部１２は、その第２被係合部１２ｂが最下位置となるように時計方向に回動させる。なお、作業者に注意を喚起するために、所定時間警告音がなるとともに、表示部１４に設けた作動ランプ２５が点灯しながら、抑制部１１（１２）を回動させるようになっている。
【００４２】
この状態においては、操作ハンドル５の係合部５ａと第２抑制部１２の第２被係合部１２ｂとが図１０に示すように係合し、操作ハンドル５を時計側方向（接地開閉器３を接地状態とする方向）に回動することができない。すなわち、第２抑制部１２により、手動操作により接地開閉器３を、入状態から接地状態に変更する禁止操作が行われることを防止している。更に、操作ハンドル５を、時計側方向に回動させようとすると、その動作を抑制部位置検出手段２３ｂが検知して、警告音がなるとともに、表示部１４に設けた作動ランプ２５が点灯するようになっている。
【００４３】
この状態において、操作ハンドル５を、遮断器側操作部６に取付け、操作ハンドル５を時計側方向（遮断器２を投入状態とする方向）に回動することにより、図１６に示すように、遮断器２が投入状態、接地開閉器３が入状態の通電状態とすることができる。なお、本実施例では、解除スイッチ３０を押すことにより、遮断器２の開放を行うこともできる。
【００４４】
遮断器２が投入状態においても、第２抑制部１２は、その被係合部１２ｂが最下位置となる状態のままであり、操作ハンドル５を用いて接地開閉器３を接地状態に変更する禁止操作は行えないようになっている。
【００４５】
このように、接地開閉器３の入状態においては、遮断器２が投入状態か開放状態かにかかわらず、第２抑制部１２は、その被係合部１２ｂが最下位置となる状態のままであり、操作ハンドル５を用いて接地開閉器３を入状態から接地状態に変更する禁止操作は行えないようになっている。
【００４６】
一旦、接地開閉器３を入状態から接地状態に変更したい場合には、電源供給側から遮断器２の上流側への電源の供給を停止する必要がある。電源供給を停止すると、上記のように、電源供給検知手段が、遮断器２の上流側に電源供給手段より電源が供給されていないことを検出し、抑制部１１（１２）を、その被係合部１１ｂ（１２ｂ）が最上位置となるように回動し、接地開閉器３を入状態から接地状態へと変更することができる。
【００４７】
なお、遮断器状態検出部により検出した遮断器２の状態と、接地開閉器状態検出部により検出した接地開閉器３の状態を表示部１４等に表示するようにしてもよい。
【００４８】
また、上記実施例においては、第１抑制部１１を、略長方形状に形成された板状部材で構成し、その長手方向における先端部に、第１被係合部１１ｂを形成するとともに、その反対側の基端部に設けた回転軸１１ａを中心として回動するようにしたが、上記のように所定条件を満たした際に、制御部からの指令により作動して操作ハンドル５により遮断器側操作部６を、遮断器２が投入となる方向に回動することを抑制するようにすることができれば、任意の構造とすることができる。例えば、遮断器側操作部６の左上部に円筒状の部材を前後方向に摺動するように配置し、上記の条件が整った際に、円筒状の部材を突出させて、操作ハンドル５を用いて遮断器側操作部６を、遮断器２が投入状態となる方向に回動することを抑制するようにしてもよい。
【００４９】
同様に、第２抑制部１２を、上記構造以外にも、上記のように所定条件を満たした際に、制御部からの指令により作動して操作ハンドル５を用いて接地側操作部７を、接地開閉器３が接地状態となる方向に回動することを抑制するようにすれば任意の構造とすることができる。例えば、接地側操作部７の右下部に円筒状の部材を前後方向に摺動するように配置し、上記の条件が整った際に、円筒状の部材を突出させて操作ハンドル５を用いて接地側操作部７を、接地開閉器３が接地状態となる方向に回動することを抑制するようにしてもよい。
【００５０】
このように、遮断器２の上流側に電源が供給されている状態において、遮断器２が開放状態で、接地開閉器３が接地状態である場合、第１抑制部１１が回動し、第１被係合部１１ｂが、操作ハンドル５の係合部５ａと係合することにより、操作ハンドル５を用いて遮断器側操作部６を、遮断器２が投入状態となる方向に回動することが抑制される。
【００５１】
また、遮断器２の上流側に電源が供給されている状態において、接地開閉器３が入状態である場合に、第２抑制部１２が回動して、第２抑制部１２の第２被係合部１２ｂが、操作ハンドル５の係合部５ａと係合することにより、操作ハンドル５を用いて接地側操作部７を、接地開閉器３が接地状態となる方向に回動することが抑制される。
【００５２】
したがって、上記従来技術のように、前回の点検時等において、操作ハンドル５を操作部６，７に取付けたままであっても、抑制部１１，１２の動きは、操作ハンドル５の有無により影響をうけず、抑制部１１，１２により操作ハンドル５を用いて禁止操作を行うことを防止できる。
【符号の説明】
【００５３】
１  配電盤
２  遮断器
３  接地開閉器
５  操作ハンドル
５ａ  係合部
６  遮断器側操作部
７  接地側操作部
１１  第１抑制部
１１ｂ  第１被係合部
１２  第２抑制部
１２ｂ  第２被係合部
１４  表示部
【図１】
0006661324.tif 000002
【図２】
0006661324.tif 000003
【図３】
0006661324.tif 000004
【図４】
0006661324.tif 000005
【図５】
0006661324.tif 000006
【図６】
0006661324.tif 000007
【図７】
0006661324.tif 000008
【図８】
0006661324.tif 000009
【図９】
0006661324.tif 000010
【図１０】
0006661324.tif 000011
【図１１】
0006661324.tif 000012
【図１２】
0006661324.tif 000013
【図１３】
0006661324.tif 000014
【図１４】
0006661324.tif 000015
【図１５】
0006661324.tif 000016
【図１６】
0006661324.tif 000017